(57)【特許請求の範囲】
【請求項１】
通信回線を介して音声および画像信号を送受信する通信端末であって、前記通信端末に入力された音声信号の符号化復号を行う音声信号符号化復号部と、前記通信端末に入力された画像信号の符号化復号を行う画像信号符号化復号部と、前記符号化した音声および画像信号の多重分離を行い通信回線を介して送受信する通信インタフェース部と、前記通信端末を操作するための操作手段と、前記操作手段から入力された操作情報を解析して前記通信端末の制御を行う制御部と、前記通信回線を介して接続された相手方の通信端末と通信を開始する時に前記相手方の通信端末から受信した通信端末情報および前記通信端末情報に基づいて設定した通信条件を記憶する記憶部とを有し、前記操作手段から保留を指示する操作情報が入力されると、前記制御部は、前記音声信号符号化復号部および前記画像信号符号化復号部から出力される音声信号および画像信号を保留し、前記通信インタフェース部を介して前記相手方の通信端末に保留準備要求を送信し、前記記憶部の設定内容をクリアし、前記通信回線を介して前記相手方の通信端末から通信端末情報を受信しても不応答とするよう前記通信インタフェース部を制御することを特徴とする通信端末。
【請求項２】
通信インタフェースを有し通信回線を介して音声および画像信号を送受信する通信端末であって、前記通信端末を操作するための操作手段と、前記操作手段から入力された操作情報を解析して前記通信端末の制御を行う制御部と、前記通信回線を介して相手方の通信端末と通信を開始する際に前記相手方の通信端末から受信した通信端末情報および前記通信端末情報に基づいて設定した通信条件を記憶する記憶部とを有し、前記操作手段から保留を指示する操作情報が入力されると、前記制御部は、前記音声および画像信号を保留し、前記通信インタフェース部を介して前記相手方の通信端末に保留準備要求を送信し、前記記憶部の設定内容をクリアし、前記通信回線を介して前記相手方の通信端末から通信端末情報を受信しても不応答とするよう前記通信インタフェースを制御することを特徴とする通信端末。
【請求項３】
通信網を介して接続された相手方の通信端末と各種メディアを組み合わせてマルチメディア通信を行う通信端末であって、通信開始時に前記相手方の通信端末と通信端末情報を送受信して設定した通信条件を記憶する記憶部と、通信を保留するための保留手段と、前記保留手段の操作時には前記各種メディアをミュートし、前記相手方の通信端末に保留準備要求を送信し、前記記憶部の設定内容をクリアし、前記通信網を介して相手方の通信端末から通信端末情報を受信しても不応答とする制御部とを有することを特徴とする通信端末。
【請求項４】
通信回線を介して音声および画像信号を送受信する通信端末であって、前記通信端末に入力された音声信号の符号化復号を行う音声信号符号化復号部と、前記通信端末に入力された画像信号の符号化復号を行う画像信号符号化復号部と、前記音声および画像信号の多重分離を行い前記通信回線を介して送受信する通信インタフェース部と、前記通信端末全体の制御を行う制御部と、前記通信回線を介して接続された相手方の通信端末と通信を開始する際に前記相手方の通信端末から受信した通信端末情報および前記通信端末情報に基づいて設定した通信条件を記憶する記憶部とを有し、前記相手方の通信端末から前記通信回線を介して保留の準備を指示する制御信号を受信すると、前記制御部は、前記音声信号符号化復号部および前記画像信号符号化復号部から出力される音声信号および画像信号を保留し、前記通信インタフェース部を介して前記相手方の通信端末に保留準備完了通知を送信し、前記記憶部の設定内容をクリアし、前記通信回線を介して通信端末情報を繰り返し送信するよう前記通信インタフェース部を制御することを特徴とする通信端末。
【請求項５】
通信インタフェースを有し通信回線を介して音声および画像信号を送受信する通信端末であって、前記通信端末全体の制御を行う制御部と、前記通信回線を介して接続された相手方の通信端末と通信を開始する時に前記相手方の通信端末から受信した通信端末情報および前記通信端末情報に基づいて設定した通信条件を記憶する記憶部とを有し、前記通信回線を介して前記相手方の通信端末から保留の準備を指示する制御信号を受信すると、前記制御部は前記音声および画像信号を保留し、前記通信インタフェースを介して前記相手方の通信端末に保留準備完了通知を送信し、前記記憶部の設定内容をクリアして前記通信端末情報を繰り返し送信するよう前記通信インタフェースを制御することを特徴とする通信端末。
【請求項６】
通信インタフェースを有し通信網を介して接続された相手方の通信端末と各種メディアを組み合わせてマルチメディア通信を行う通信端末であって、前記相手方の通信端末と通信を開始する際に通信端末情報を送受信して設定した通信条件および前記通信端末情報を記憶する記憶部と、前記通信網を介して保留の準備を指示する信号を受信した場合に前記各種メディアをミュートし、前記通信網を介して相手方の通信端末に保留準備完了通知を送信し、前記記憶部の設定内容をクリアし、前記通信網を介して通信端末情報を繰り返し送信することを特徴とする通信端末。
【請求項７】
前記保留の準備を指示する制御信号および前記保留準備完了通知は、国際電気通信連合の勧告Ｈ．２２１に規定された非標準ＢＡＳ符号を用いて送信することを特徴とする前記請求項１ないし６に記載の通信端末。
【請求項８】
通信網を介して接続された相手方の通信端末と通信を開始する際に通信設定を行なって各種メディアを組み合わせたマルチメディア通信を行う通信端末であって、前記通信端末を操作するための操作手段と、第１の通信端末の通信を保留して第２の通信端末と通信している状態で前記操作手段より前記第１の通信端末と前記第２の通信端末を接続するよう転送要求があると、自通信端末の各種メディアをミュートして前記第２の通信端末に転送の準備を要求する制御信号を送信し、転送が完了するまで前記通信網を介して通信設定信号を受信しても不応答とするよう通信端末全体を制御する制御部とを有することを特徴とする通信端末。
【請求項９】
通信網を介して接続された相手方の通信端末と通信を開始する際に通信条件の設定を行って各種メディアを組み合わせたマルチメディア通信を行う通信端末であって、前記各種メディアを前記通信網を介して送受信する通信インタフェースと、前記通信設定内容を記憶する記憶部と、前記相手方の通信端末から転送の準備を要求する制御信号を受信すると、前記各種メディアをミュート、前記通信インタフェースより前記相手方の通信端末に転送準備完了通知を送信し、さらに前記通信条件の設定内容をクリアし、通信設定要求を前記通信網に繰り返し送信することを特徴とする通信端末。
【請求項１０】
前記転送の準備を要求する制御信号および前記転送準備完了通知は、国際電気通信連合の勧告Ｈ．２２１に規定された非標準ＢＡＳ符号を用いて送信することを特徴とする前記請求項８ないし９に記載の通信端末。
【請求項１１】
通信網を介して接続された第１、第２のマルチメディア通信端末間で各種メディアを組み合わせて通信中に、前記第１、第２の通信端末間の通信を保留し、前記第１の通信端末から第３の通信端末を呼び出した後、前記保留していた第２の通信端末と前記第３の通信端末間で通信を行うよう呼を転送する方法であって、
前記第１、第２の通信端末間で通信を開始する際に前記通信端末同士の情報を送受信して通信条件の設定をし、前記設定に基づいて通信中、前記第１の通信端末から保留指示が入力されると、前記第１の通信端末は自分自身の通信端末の各種メディアをミュートし、前記第２の通信端末に保留の準備を要求する制御信号を送信し、
前記第２の通信端末は、前記保留の準備を要求する制御信号を受信すると、第２の通信端末の各種メディアをミュートして前記第１の通信端末へ保留準備完了信号を送信し、前記第１の通信端末との間で設定した通信条件の設定内容をクリアし、通信網を介して自通信端末の情報を繰り返し送信し、
前記第１の通信端末は通信網を介して保留準備完了信号を受信すると前記第２の通信端末との間で設定した通信条件の設定内容をクリアし、前記第２の通信端末が繰り返し送信している情報を無視し前記第２の通信端末を網保留し、
前記第１の通信端末から第３の通信端末に呼接続要求をして呼が設定されると前記第１、第３の通信端末間で通信を開始する際に前記通信端末同士の情報を送受信して通信条件を設定し、
前記第１の通信端末において転送指示が入力されると、前記第１の通信端末は前記各メディアをミュートして前記第３の通信端末に転送の準備を要求する制御信号を送信し、
前記第３の通信端末は前記転送の準備を要求する制御信号を受信して前記第３の通信端末の各種メディアをミュートして前記第１の通信端末に転送準備完了通知を送信し、前記第１、第３の通信端末間で設定した通信条件をクリアして自通信端末の情報を繰り返し送信し、
前記第１の通信端末は前記第３の通信端末の情報を無視して前記第３の通信端末との通信を終了し前記第２の通信端末と前記第３の通信端末が接続されると前記第２、第３の通信端末は繰り返し送信していた通信端末情報をお互いに受信して通信条件の設定を行い、前記第２、第３の通信端末間で通信を行うことを特徴とする通信端末間の呼の転送方法。
【発明の詳細な説明】
【０００１】
【発明の属する技術分野】
本発明は通信端末および通信端末間の呼の転送方法に関し、特に他の装置との間で符号化した画像および音声データおよびその他のデータを送受信するマルチメディア通信端末およびそれらの間の呼の転送方法に関する。
【０００２】
【従来の技術】
従来、電話等の音声通信においては、第１、第２の端末間で通信中に第３の端末に呼を転送する通信中転送に関する技術が多数発明されている。
【０００３】
一方、画像、音声、データを用いたマルチメディア通信においては、テレビ電話の呼を相手端末に悪影響を与えることなく網保留する技術が特開平７−３２７０９２号公報に記載されている。特開平７−３２７０９２号公報は、通信中に一方の端末で保留ボタンが押下されると、相手端末にフリーズまたはビデオ・オフといったコマンドを送信し、そのあと保留メッセージを相手端末に送信して保留メッセージが受信されるまで監視し、受信されると相手端末に保留確認のメッセージを送るというものである。しかしながら上記公報には、呼の転送についてはなんら記載されていない。
【０００４】
【発明が解決しようとする課題】
上記のように従来のマルチメディア通信端末においては、呼の通信中転送は考慮されていなかったため、従来の通信端末を用いて通信中転送をしようとした場合には、次のような問題が発生することになる。
【０００５】
まず、第１、第２の通信端末間で通信中に第３の通信端末に呼を転送すると、第３の通信端末は通常の通話開始手順を踏んでいないために、接続されるとすぐにデータを受け取ることになる。データはフレーム単位で送られてくるためにフレームの開始位置を見つけるまではデータを正常に受信できない。従って、フレームの開始位置を見つけて同期をとるまでの間、画像や音声にノイズが発生したり、画像音声が乱れてしまう。
【０００６】
また、マルチメディア通信端末はそれぞれ性能が異なるため、通常の通信開始時には通信開始に先立ってお互いの通信端末の能力を比較して音声、画像の符号化モードや帯域を設定する。しかし、通信中転送を行うと第３の端末とは通常の通信開始の手順は行わないため、第１、第２の通信端末間で設定したモードのまま第３の通信端末にデータを送信することになる。そのため、第３の通信端末の性能が第１、第２の通信端末の性能と異なる場合には、データが正常に送受信できないという状況が生じる。
【０００７】
また、上記のように同期が取れなくなったり、性能が異なるためにデータの送受信ができなくなった場合には、その状態から回復することが難しいという問題点もある。
【０００８】
本発明は、上記課題を解決するためになされたもので、その目的は、送受信するデータにノイズや乱れを生じることなく通信中転送可能な通信端末および呼の転送方法を提供することにある。
【０００９】
【課題を解決するための手段】
上記課題を解決するために、本願発明においては、ネットワークを介して画像、音声、その他のデータを多重化して送受信するマルチメディア通信中に保留／転送を行う場合に、まず自分自身の端末の各メディアミュートするとともに相手方の端末に保留／転送準備要求を送信して相手方の端末の各メディアもミュートするようにし、相手方からの保留／転送準備完了通知を受けて保留／転送を行うようにしたものである。また、保留／転送過程で、新たな相手に接続したり、相手が切り替わった場合には、端末間で初期設定を行うようにして、相手変わったことにより通信の不整合が起きないようにしたものである。
【００１０】
【発明の実施の形態】
次に、本発明の実施の形態を図１ないし図５を用いて説明する。
本実施形態の説明においては、ＩＳＤＮ（Integrated Services Digital Network）回線を介してマルチメディア通信を行う端末での実施形態を例にとって説明する。狭帯域ＩＳＤＮ回線用テレビ電話／会議に関する規格としては、国際電気通信連合（ＩＴＵ−Ｔ：International Telecommunication Union Telecommunication Standardization Sector）から勧告され、日本の電信電話技術委員会（ＴＴＣ：Telecommunication Technology Committee）においても標準となっているＨ．３２０、Ｈ．２２１，Ｈ．２４２、Ｈ．２３０がある。Ｈ．３２０はシステムおよび通信端末についての標準、Ｈ．２２１はＨ．３２０通信端末間で送受信するフレームのフォーマットについての標準、Ｈ．２４２は通信端末間の通信の設定を行う方式の標準、Ｈ．２３０はシステム内でフレーム同期のための制御信号と通知信号についての標準である。
【００１１】
まず、マルチメディア通信端末間で通信中転送を行う場合の動作の概要を図１および図２を用いて説明する。
図１は、呼の転送の概要を示すシーケンス図である。
図２は、図１のシーケンス図に示す各状態における端末間の接続状態を示す図である。
【００１２】
まず、通信中転送に関わるそれぞれの端末を以下の様に定義する。
端末Ａ：通信中転送を起動する端末。
端末Ｂ：最初に端末Ａと通信していた端末。
端末Ｃ：通信中に呼を転送する転送先の端末。
【００１３】
通信中転送の概要は以下の通りである。
▲１▼まず、端末Ａから端末Ｂに発信すると、Ｈ．２４２に規定された通信設定手順にしたがって初期設定が行われる。初期設定で画像や音声の符号化方式、使用する帯域等を決定した後、端末Ａ−Ｂ間でテレビ電話通信（端末Ｂから発信）を行う（１０５）。このときの接続状態は図２の状態１  １０１のようになる。
▲２▼▲１▼の状態で、端末Ａは、端末Ｂとの間でメッセージの送受信をしてＡ−Ｂ間の呼を保留する（１０６）。端末間の接続状態を図２の状態２  １０２に示す。▲３▼端末Ａは転送先である端末Ｃへ発信し、端末Ｃとの間でメッセージの送受信を行い、呼を設定する。そして端末Ｃが応答した後にＡ−Ｃ間でテレビ電話通信を行う（１０７）。接続状態は図２の状態３  １０３に示すようになる。
▲４▼さらに、端末Ａは通信中転送を起動して、端末Ｂ−Ｃ間に呼が接続され、端末Ｂ−Ｃ間でテレビ電話通信が行われる（１０８）。端末間の接続状態は状態４１０４に示すようになる。
【００１４】
本実施形態における通信端末の特徴は、このような通信中転送を行うときに、従来は行われていなかった端末Ａと端末Ｃとの通信開始時（１０７）、および端末Ｂと端末Ｃとの通信開始時（１０８）にも、Ｈ．２４２に規定された通信設定方式に基づく初期設定を行うようにしたことにある。
【００１５】
次に、本実施形態における通信端末のより詳細な構成および動作を、図３ないし図６を用いて説明する。
前述のＩＳＤＮ回線は、64kbit/sのチャネル（Bチャネルと呼ばれる）を複数と、制御用の16kbit/sのチャネル（Ｄチャネルと呼ばれる）からなる。以下の実施形態においては、複数のＢチャネルのうちＢチャネル1本で通信を行う場合について説明する。複数のＢチャネルを用いた通信の場合でも、交換機に対して2B目以降の呼の網保留処理及び通信中転送処理を同様に行うことで実現できる。
【００１６】
ここでも端末Ａ、端末Ｂ、端末Ｃをそれぞれ以下の様に定義する。
端末Ａ：通信中転送を起動する端末。
端末Ｂ：最初に端末Ａと通信していた端末。
端末Ｃ：通信中に呼を転送する転送先の端末。
【００１７】
図３に本実施形態におけるテレビ電話／会議端末の基本構成を示す。
網インタフェース部３０１は、通信網とデータの送受信を行う回線ｉ／ｆであり、Dチャネル及びBチャネルのデータを送受信する。Bチャネルのデータは多重分離部３０２と、Dチャネルのデータは呼制御部３１０と送受信する。多重分離部３０２では画像、音声、フレーム同期信号（以下FAS符号：Frame Alignment Signal)、動作モード指定信号（BAS符号：Bit-rate Allocation Signal)、その他のデータを多重分離する。多重分離部３０２で分離された画像データはビデオコーデック部３０３、音声データはオーディオコーデック部３０５、その他のデータはデータ制御部３０７、FAS/BAS符号は多重分離制御部３０８との間で送受信する。
【００１８】
ビデオコーデック部３０３は、ビデオ入出力部３０４に接続されたカメラ３１２から入力された入力画像信号を符号化して多重分離部３０２へ送出するとともに多重分離部３０２で分離した画像データを復号してビデオ入出力部３０４を介してモニタ３１３に出力する。また、オーディオコーデック部３０５は、オーディオ入出力部３０４に接続されたマイク３１４から入力された入力画像信号を符号化して多重分離部３０２へ送出するとともに多重分離部３０２で分離したオーディオデータを復号してオーディオ入出力部３０４を介してスピーカ３１３に出力する。
【００１９】
データ制御部３０７は、H.221に規定されている低速データ（LSD：Low Speed Data）通信やマルチレイヤプロトコル（MLP：Multi Layered Protocol）チャネルによるデータの送受信を行う。多重分離制御部３０８は、 前期H.320端末との間でH.221フレームを送受信してFAS/BAS符号をやりとりしてH.242、H230に規定されたテレビ電話通信端末間のネゴシエーションを行う。呼制御部３１０は、網インタフェース部３０１との間で、Dチャネル情報の送受信を行い、網保留や、通信中転送の起動を制御する。マンマシンインタフェース部３０９は、キーパッド３１６、リモコン等によってユーザから入力された操作を制御部３１１に入力する処理や、制御部３１１から受け取ったユーザに対する情報をモニタ３１３に表示するための処理を行う。
【００２０】
制御部３１１はテレビ電話／会議端末全体を統括制御するブロックである。制御部３１１には、シーケンスＡ，Ｂ情報記憶部３１７がある。シーケンスＡは、端末間で通信を開始する際の初期能力設定のためのシーケンスである。シーケンスＢは、通信開始時にシーケンスＡに続いて実行されるレート割り当てコマンド等を送受信するシーケンスである。シーケンスＡおよびＢは前述のH.242に規定されているものである。シーケンスＡ，Ｂ情報記憶部３１７のシーケンスＡ情報記憶領域３１８には自分自身の端末において対応可能な音声／画像符号化方式や、伝送レートの能力が自端末能力３２０として記憶されている。また、通信開始時に上記シーケンスＡを実行したとき、相手から受信した相手端末が対応可能な音声／画像符号化方式等を相手端末能力３２１として記憶する。シーケンスＢ情報記憶領域３１９には、自端末から送信するコマンドと、相手端末より受信したコマンドを記憶しておく領域を有する。
【００２１】
次に、本実施形態の端末の動作を説明する。
図４は、本実施形態の端末間で網保留を行う場合のシーケンス図である。
まず、端末Ａからの呼設定要求にテレビ電話着信に端末Ｂが応答すると、端末Ａ−Ｂ間で初期能力設定のためのシーケンスＡ（４０４）とそれに続いてレート割り当て等のコマンドを送信するシーケンスＢ（４０５）が実行され、端末Ａ−Ｂ間でテレビ電話通信が開始される（４０６）。これらのシーケンスは、例えば前記H.221に規定されている非標準BAS符号を用いて送信する。テレビ電話通信中に端末Ａのユーザからキーパッド等を介して保留指示の入力があると、制御部３１１は、図３のビデオコーデック部３０３、オーディオコーデック部３０５、データ制御部３０７を制御し、画像、音声、データをミュートする（４０２）。データのミュートとは、画像、音声コーデックやデータ制御部の動作を保留することを意味する。また、マンマシンインタフェース部３０９は、網保留処理中であることをユーザに通知する。端末Ａは、以上の網保留準備が完了すると、端末Ｂに対して非標準BAS符号を用いて「網保留準備要求」を通知する（４０７）。
【００２２】
一方、「網保留準備要求」の通知を受けた端末Ｂにおいても、受信画像、音声、その他データをミュートするよう、制御部３１１がビデオコーデック部３０３、オーディオコーデック部３０５、データ制御部３０７を制御する（４１１）。マンマシンインタフェース部３０９は、網保留処理中であることをユーザに通知する。上記のミュート処理が完了次第、端末Ａに対して非標準BAS符号を用いて「網保留準備完了」を通知する（４０８）。
【００２３】
さらに端末ＢはシーケンスＡを繰り返し送信しはじめる。そして図３の制御部３１１のシーケンスＡ，Ｂ情報記憶部３１７に記憶している相手端末能力情報３１８を初期化する（４１２）。このシーケンスＡは、転送完了後に端末Ｃとの間でシーケンスＡおよびＢが行われるようにするために出力させるものであり、網保留中の受信H.221フレーム同期はずれ中も繰り返して送信する。そこで端末Ａの多重分離制御部３０８は、網保留を完了するまでの間、端末Ｂから受信するシーケンスＡを無視し続ける（４０１）。これは、もし端末Ａが応答してしまうとシーケンスＢに以降して初期設定が完了してしまい、のちに端末Ｃとの間でシーケンスＡ，Ｂが行えなくなってしまうからである。
【００２４】
端末Ａは、端末Ｂより「網保留準備完了」を通知された時に、呼制御部３１０から網インタフェース部３０１を介して交換機に対して通信中の呼の網保留を要求する（４０３）。交換機は、これに応じて、網保留を行う（４１０）。
【００２５】
以上のように端末Ａ、Ｂともにミュート処理を行ってから保留することにより、保留中画像、音声、その他データが来なくなっても、音声、画像にノイズを発生させることなく、データに乱れを生ずることなくテレビ電話呼の網保留を行うことができる。
【００２６】
次に、網保留の後に、転送を行う場合の動作について説明する。
図５は、本実施形態の端末間で通信中転送を行う場合の動作を示すシーケンス図である。
端末ＢはシーケンスＡを繰り返し送信して（４０９）網保留中の状態（４１０）で、端末Ａはまず制御部３１１のシーケンスＡ，Ｂ情報記憶部３１７に記憶していた端末Ｂの相手端末能力情報３１８を初期化する（５０１）。そして、端末Ａは端末Ｃに呼設定の要求をし、端末Ｃが応答した後にシーケンスＡおよびシーケンスＢを行う（５０８、５０９）。端末Ａは端末Ｂと通信中であるので初期設定は済んだ状態であるが、転送先を呼び出す際にもあらためてシーケンスＡおよびシーケンスＢを行うようにする。このようにして、端末Ａ−Ｃ間に呼を設定し、テレビ電話通信開始処理を行う（５０２、５１７）。そして通信開始処理終了後テレビ電話通信中となる（５１０）。
【００２７】
次に、端末Ａのユーザから転送を指示する入力があると、テレビ電話の転送を行う端末Ａは、それぞれビデオコーデック部３０３、オーディオコーデック部３０５、データ制御部３０７を制御して受信画像、音声、その他データを、ミュートする（５０４）。マンマシンインタフェース部３０９ではテレビ電話転送処理中であることをユーザに通知する。端末Ａは、以上の通信中転送準備が完了次第、端末Ｃに対して非標準BAS符号を用いて「通信中転送準備要求」を通知する（５１１）。
【００２８】
端末Ｃは、「通信中転送準備要求」の通知を受け、受信画像、音声、その他データを、それぞれビデオコーデック部３０３、オーディオコーデック部３０５、データ制御部３０７を制御してミュートする（５１８）。このときマンマシンインタフェース部３０９は通信中転送処理中であることをユーザに通知する。端末Ｃは、上記のミュート処理が完了次第、端末Ａに対して非標準BAS符号を用いて「通信中転送準備完了」を通知する（５１２）。
【００２９】
さらに端末ＣはシーケンスＡを繰り返し送信しはじめる（５１３）。
【００３０】
このシーケンスＡは、転送完了後に端末Ｂとの間でシーケンスＡおよびＢが行われるようにするために出力させるものである。そこで端末Ａの多重分離制御部３０８は、網保留を完了するまでの間、端末Ｂから受信するシーケンスＡを無視し続ける（５０３）。これは、もし端末Ａが応答してしまうとシーケンスＢに以降して初期設定が完了してしまい、のちに端末Ｃとの間でシーケンスＡ，Ｂが行えなくなってしまうからである。
【００３１】
端末Ａは、端末Ｃより「通信中転送準備完了」（５１２）を通知された時に、呼制御部３１０から網インタフェース部３０１を介して交換機に対して通信中転送を要求する（５０５）。交換機が端末Ｂ−Ｃ間をBチャネルで接続し、端末Ａを切断すると端末Ｂが端末ＣからのシーケンスＡを受信し、端末Ｂ−Ｃ間でシーケンスＡおよびシーケンスＢを行う（５１４、５１５）。
【００３２】
この結果、Bチャネルで接続された端末Ｂ，Ｃは、通常のテレビ電話通信の開始処理と同様に、まず、受信H.221フレーム同期を確立し、FAS/BAS符号の検出を行う。このとき、端末Ｂ、Ｃ双方は、初期能力BAS符号の繰り返し送信を行っているため、通常のテレビ電話通信開始時と同様に、TIC標準H.242のシーケンスＡを終了し、音声、画像等のデータが乱れることなく、保留状態を解除してテレビ電話通信を開始することができる。
【００３３】
このように、転送処理を行う時にそれぞれの端末の画像／音声／データをミュートし、また転送先呼び出し先呼び出し時と転送先へ接続時にシーケンスＡ、Ｂの処理を行うことにより、音声、画像にノイズを発生させることなく、テレビ電話呼の通信中転送を行うことができる。
【００３４】
これ以降の処理は、通常のテレビ電話通信と同様で、シーケンスＡ，Ｂを終了した後に、音声、画像等のオンコマンドBAS符号を送受信することにより、受信音声画像のミュートを解除して行う。
【００３５】
以上の処理を行うことにより、音声、画像、データにノイズや乱れを発生させることなく、テレビ電話通信の転送を実現することができるようになる。また、上記の実施例では、「網保留準備要求」、「網保留準備完了」、「通信中転送準備要求」、「通信中転送準備完了」の通知を非標準BAS符号を用いる方法で説明しているが、これらの通知信号はLSDチャネルや、MLPチャネル等を用いても同様に実現できる。
【００３６】
【発明の効果】
本発明によれば、マルチメディア通信端末間で、データに乱れを生ずることなく保留や通信中転送を行うことができる。また、通信中転送後に確実な通信を保証することができる。
【図面の簡単な説明】
【図１】従来の呼の転送の概要を示すシーケンス図である。
【図２】図１のシーケンス図に示す各状態における端末間の接続状態を示す図である。
【図３】本発明の一実施形態のテレビ電話／会議端末の構成を示す図である。
【図４】本発明の一実施形態の端末間で網保留を行う場合のシーケンス図である。
【図５】本発明の一実施形態の端末間で通信中転送を行う場合のシーケンス図である。
【符号の説明】
２０１、２０２、２０３…通信端末、２０４…交換機、３０１…網インタフェース部、３０２…多重分離部、３０３…ビデオコーデック部、３０４…ビデオ入力部、３０５…オーディオコーデック部、３０６…オーディオ入出力部、３０７…データ制御部、３０８…多重分離制御部、３０９…マンマシンインタフェース部、３１０…呼制御部、３１１…マンマシンインタフェース部、３１２…カメラ、３１３…モニタ、３１４…マイク、３１５…スピーカ、３１６…キーパッド、３１７…シーケンスＡ，Ｂ情報記憶領域、３１８…シーケンスＡ情報記憶部、３１９…シーケンスＢ情報記憶領域、３２０…自端末能力情報記憶領域、３２１…相手端末能力情報記憶領域、３２２…自端末送信コマンド記憶領域、３２３…相手端末受信コマンド記憶領域。
【図１】
0003653985.tif 000002
【図２】
0003653985.tif 000003
【図３】
0003653985.tif 000004
【図４】
0003653985.tif 000005
【図５】
0003653985.tif 000006